(57)【要約】【課題】  取付けビスを用いる必要のないテレビジョン受像機の操作キーユニットを提供する。操作キーユニットに、配線基板の反りや撓みなどの変形を矯正する作用を発揮させる。【解決手段】  操作キーユニットＡは、フロントキャビネット１１に取り付けられるフレーム枠２０と、配線基板３０と、配線基板に搭載したキースイッチ４０とからなる。フレーム枠２０が、キートップ２３を有する前板部２１と、配線基板３０をその厚さ方向Ｔで挟持して位置決めする挟持手段としての第１リブ列２４及び第２リブ列２６と、配線基板３０を長手方向Ｌで位置決めする長手方向位置決め手段としての一対の端板部２８と、配線基板３０を幅方向Ｗで位置決めする幅方向位置決め手段としての基板受部２９及び押えリブ５１とを備えている。第１リブ２５と第２リブ２７とを千鳥配列する。【選択図】        図１
2010050584.tif 000002
【特許請求の範囲】
【請求項１】
押込み操作されるキートップを有してテレビジョン受像機キャビネットに取り付けられるフレーム枠と、このフレーム枠に装着される矩形の配線基板と、この配線基板に搭載されたキースイッチと、からなり、
上記フレーム枠が、上記キートップを有する前板部と、上記配線基板をその厚さ方向で挟持して同方向で位置決めする挟持手段と、上記配線基板をその長手方向で位置決めする長手方向位置決め手段と、上記配線基板をその幅方向で位置決めする幅方向位置決め手段と、を備え、
上記挟持手段により挟持された配線基板が長手方向位置決め手段及び幅方向位置決め手段によって長手方向及び幅方向で位置決めされることによって、上記キースイッチが上記キートップの背部に配置されるように構成されていることを特徴とするテレビジョン受像機の操作キーユニット。
【請求項２】
上記挟持手段が、上記配線基板の表面の長手方向複数箇所に当接する複数のリブでなる第１リブ列と、上記配線基板の裏面の長手方向複数箇所に当接して上記第１リブ列と共働して上記配線基板を挟持する複数のリブでなる第２リブ列とによって形成されている請求項１に記載したテレビジョン受像機の操作キーユニット。
【請求項３】
上記第１リブ列に属するリブと上記第２リブ列に属するリブとが配線基板の長手方向で千鳥配列されている請求項２に記載したテレビジョン受像機の操作キーユニット。
【請求項４】
上記長手方向位置決め手段が、上記フレーム枠に設けられて、上記挟持手段により厚さ方向で位置決めされた上記配線基板の一端部と他端部とに個別に対峙する一対の端板部でなる請求項１ないし請求項３のいずれか１項に記載したテレビジョン受像機の操作キーユニット。
【請求項５】
上記幅方向位置決め手段が、上記第１リブ列又は第２リブ列のうちの一方側のリブ列に属するリブに段付状に形成された基板受部と、上記キャビネットに設けられて上記基板受部との間で上記配線基板をその幅方向で挟む押えリブと、によって形成されている請求項１ないし請求項４のいずれか１項に記載したテレビジョン受像機の操作キーユニット。
【請求項６】
上記テレビジョン受像機キャビネットがフロントキャビネットとリアキャビネットとに分割されていて、上記フレーム枠が上記フロントキャビネットに取り付けられ、上記押えリブが上記リアキャビネットに設けられている請求項５に記載したテレビジョン受像機の操作キーユニット。
【発明の詳細な説明】
【技術分野】
【０００１】
本発明は、テレビジョン受像機の操作キーユニットに関する。特に、キースイッチを搭載した配線基板を有する操作キーユニットにおいて、配線基板に生じている反りや撓みなどの変形を矯正する機能や配線基板の取付け構造を簡略化する機能を発揮させるための対策を講じたテレビジョン受像機の操作キーユニットに関する。
【背景技術】
【０００２】
図６は液晶型テレビジョン受像機を概略で示した外観図である。同図の液晶型テレビジョン受像機は、キャビネット１０が正面視矩形枠型のフロントキャビネット１１とこのフロントキャビネット１１に結合されたリアキャビネット１５とに分割されていて、フロントキャビネット１１の片側の側板部１２の縦並びの複数箇所に開設されている開口のそれぞれに、押込み操作を行うことによって各種モードを設定することに利用されるキートップ１３…が臨んでいる。これらのキートップ１３…には、主電源ボタンのほか、チャンネル切換えボタン、音量調整ボタン、外部電源切換えボタン、セットアップボタンなどの必要な操作ボタンが含まれている。
【０００３】
図７はフロントキャビネット１１の側板部１２に従来例としての操作キーユニットＡが取り付けられている状態を示した要部の概略斜視図であり、図８は複数のキースイッチ（不図示）を縦並びに搭載した配線基板２の概略背面図である。
【０００４】
操作キーユニットＡは、縦並びの複数のキートップ１３（図６参照）が樹脂で一体成形されている縦長のフレーム枠１に縦長矩形の配線基板２を取り付けてなり、配線基板２に搭載されている複数のキースイッチ（不図示）のそれぞれが、複数のキートップ１３の背部に個別に配置されている。
【０００５】
図７に示したように、従来例としての操作キーユニットＡでは、フレーム枠１から突出されている位置決め突起３の作用で長手方向Ｌ及び幅方向Ｗで仮位置決めされた配線基板２が、複数箇所（図例では３箇所）でフレーム枠１に取付けビス４を用いてビス止めされている。この構成を採用していることにより、フレーム枠１に対し、上記した位置決め突起３や取付けビス４により配線基板２が長手方向Ｌ及び幅方向Ｗに加えて、厚さ方向Ｔでも位置決めされている。そして、このような取付け構造を採用する必要性のために、図８に示したように、配線基板２には、所要数のビス挿通孔５や位置決め孔部６が所要箇所に貫通して形成されている。
【０００６】
なお、図７によって判るように、フレーム枠１に配線基板２が取り付けてなる上記操作キーユニットＡは、フレーム枠１の長手方向両端に設けられている取付け片７をフロントキャビネット１１に設けられているボス１６に取付けビス８を用いてビス止めすることによりフロントキャビネット１１の側板部１２に取り付けられている。
【０００７】
一方、電気機器の筐体に、操作ボタンにより押込み操作されるスイッチ（キースイッチ）を搭載した配線基板とを取り付けるための構造として、スイッチを搭載している上記配線基板の両方の端部のそれぞれをコ字形の一対の固定片に差し込み、かつ、筐体に突設したフック形の支持片を上記配線基板に係合させてることによって、配線基板が固定片から抜け出ることを防ぐようにしたものが提案されている（たとえば、特許文献１参照）。
【０００８】
また、押ボタンを一体に有する押釦シャーシに、タクトスイッチを搭載した配線基板を一本のビスを用いて取り付けたり、上記押釦シャーシに突設した一本の振れ止めピンを配線基板の挿入孔に嵌合させることによって配線基板を位置決めしたりすることも従来より知られている（たとえば、特許文献２参照）。
【特許文献１】特開平７−１４１９６１号公報
【特許文献２】特開平３−６７４４２５号公報
【発明の開示】
【発明が解決しようとする課題】
【０００９】
しかしながら、図７を参照した説明した従来例や特許文献２によって提案されているもののように、配線基板をビス止めする構造では、取付ビスが余分に必要になって部品コストが高くつくばかりか、煩わしいビス止め作業を行う必要性から組立工程が煩雑になり、それだけ生産性を高めることが困難になるという問題がある。
【００１０】
また、特許文献１によって提案されているように、配線基板の両方の端部のそれぞれをコ字形の一対の固定片に差し込み、支持片によって配線基板を抜け止めするものでは、配線基板に反りや撓みなどの変形が生じているときに、その変形を矯正する作用が発揮されない。そのため、配線基板の取付け後にもその反りや撓みなどの変形がそのまま残ることがあり、そのような事態を生じると、操作ボタンを押し込んで配線基板に搭載されているスイッチを切り換える動作が不安定になったり、操作ボタンを押し込んだときに操作者に伝わる感触が一様になりにくくなったりするので、電気機器の動作品位を高めることが困難になる。
【００１１】
本発明は以上の問題や状況に鑑みてなされたものであり、取付けビスを用いる必要のないテレビジョン受像機の操作キーユニットを提供することを目的とする。
【００１２】
また、本発明は、反りや撓みなどの変形が生じている配線基板であっても、フレーム枠に取り付けることによってその変形を矯正することのできるテレビジョン受像機の操作キーユニットを提供することを目的とする。
【課題を解決するための手段】
【００１３】
本発明に係るテレビジョン受像機の操作キーユニットは、押込み操作されるキートップを有してテレビジョン受像機キャビネットに取り付けられるフレーム枠と、このフレーム枠に装着される矩形の配線基板と、この配線基板に搭載されたキースイッチと、からなる。そして、上記フレーム枠が、上記キートップを有する前板部と、上記配線基板をその厚さ方向で挟持して同方向で位置決めする挟持手段と、上記配線基板をその長手方向で位置決めする長手方向位置決め手段と、上記配線基板をその幅方向で位置決めする幅方向位置決め手段と、を備え、上記挟持手段により挟持された配線基板が長手方向位置決め手段及び幅方向位置決め手段によって長手方向及び幅方向で位置決めされることによって、上記キースイッチが上記キートップの背部に配置されるように構成されている。
【００１４】
この構成であれば、フレーム枠に備わっている挟持手段に配線基板を厚さ方向て挟持させるだけで、配線基板がフレーム枠に取り付けられる。そのため、配線基板をフレーム枠に取り付けるのに取付けビスを用いる必要がない。加えて、配線基板は、挟持手段により挟持されて厚さ方向で位置決めされ、長手方向位置決め手段の作用により長手幅方向で位置決めされ、幅方向位置決め手段の作用により幅方向で位置決めされるために、フレーム枠に対し、互いに直行する３軸方向で高精度に取り付けられることになる。
【００１５】
本発明では、上記挟持手段が、上記配線基板の表面の長手方向複数箇所に当接する複数のリブでなる第１リブ列と、上記配線基板の裏面の長手方向複数箇所に当接して上記第１リブ列と共働して上記配線基板を挟持する複数のリブでなる第２リブ列とによって形成されていることが望ましい。この構成であれば、配線基板を厚さ方向で挟持する第１リブ列と第２リブ列を、フレーム枠と共に樹脂で一体成形することが可能である。そのため、部品を余分に設ける必要がなくなり、それだけコストの低減化を図りやすくなる。
【００１６】
本発明では、上記第１リブ列に属するリブと上記第２リブ列に属するリブとが配線基板の長手方向で千鳥配列されていることが望ましい。この構成であれば、特に、千鳥配列されている複数のリブが配線基板の長手方向の異なる箇所に当接することになるので、反りや撓みなどの変形を生じている配線基板であっても、その配線基板を第１リブ列と第２リブ列との相互間に差し込んで挟持させるだけでそれらの変形が確実に矯正されるようになる。
【００１７】
本発明では、上記長手方向位置決め手段が、上記フレーム枠に設けられて、上記挟持手段により厚さ方向で位置決めされた上記配線基板の一端部と他端部とに個別に対峙する一対の端板部でなる、という構成を採用することが可能である。これによれば、一対の端板部をフレーム枠に樹脂で一体に成形することが可能である。そのため、配線基板を長手方向で位置決めするのに部品を余分に設ける必要がなくなり、それだけコストの低減化を図りやすくなる。
【００１８】
本発明では、上記幅方向位置決め手段が、上記第１リブ列又は第２リブ列のうちの一方側のリブ列に属するリブに段付状に形成された基板受部と、上記キャビネットに設けられて上記基板受部との間で上記配線基板をその幅方向で挟む押えリブと、によって形成されている、という構成を採用することが可能である。この構成であれば、基板受部と押えリブとをキャビネットと共に樹脂で一体成形することが可能である。そのため、配線基板を幅方向で位置決めするのに部品を余分に設ける必要がなくなり、それだけコストの低減化を図りやすくなる。
【００１９】
本発明では、上記テレビジョン受像機キャビネットがフロントキャビネットとリアキャビネットとに分割されていて、上記フレーム枠が上記フロントキャビネットに取り付けられ、上記押えリブが上記リアキャビネットに設けられている、という構成を採用することが可能である。これによれば、当該操作キーユニットをフロントキャビネットに取り付けた後、リアキャビネットをフロントキャビネットに結合するというキャビネットの組立工程を行うだけで配線基板が幅方向で位置決めされることになる。そのため、一般的に従来より行われているキャビネットの組立工程を変更する必要がないという利点がある。
【発明の効果】
【００２０】
以上のように、本発明によれば、テレビジョン受像機の操作キーユニットの組立工程からビス止め工程を省略することが可能になって、それだけ生産性が向上するという効果が奏される。また、反りや撓みなどの変形が生じている配線基板であっても、フレーム枠に取り付けるだけでそれらの変形が矯正されるために、キートップを押し込んで配線基板に搭載されているスイッチを切り換える動作が不安定になったりすることがなく、しかも、キートップを押し込んだときに操作者に伝わる感触も一様になるので、電気機器の動作品位が全体として容易に高まるという効果が奏される。
【発明を実施するための最良の形態】
【００２１】
図１は本発明の実施形態に係る操作キーユニットを裏側から見て示した分解斜視図、図２は同操作キーユニットを表側から見て示した分解斜視図である。また、図３は同操作キーユニットの側面図、図４は同操作キーユニットを装備しているテレビジョン受像機キャビネットを内側から見て示した要部の側面図である。さらに、図５は反り変形を生じている配線基板の説明図である。
【００２２】
図１〜図４に示したように、この実施形態の操作キーユニットＡは、樹脂成形体でなる縦長のフレーム枠２０と、縦長矩形の配線基板３０と、配線基板３０の複数箇所に縦並びに搭載されているキースイッチ４０と、を備えている。
【００２３】
図１又は図２のように、フレーム枠２０は、前板部２１とこの前板部２１の幅方向の一端縁から突き出た底板部２２とを有していて、前板部２１には、その長手方向の複数箇所に押込み操作可能なキートップ２３が設けられている。
【００２４】
フレーム枠２０には、所定の間隔を隔てて配列された複数のリブ（第１リブ）２５でなる第１リブ列２４と、同じく所定の間隔を隔てて配列された複数のリブ（第２リブ）２７でなる第２リブ列２６とによって形成される挟持手段が備わっている。そして、第１リブ列２４に属する複数の第１リブ２５が、前板部２１と底板部２２とにより形作られている入隅部分で縦方向に並んで位置しているのに対し、第２リブ列２４に属する複数の第１リブ２５が底板部２２から立ち上がって縦方向に並んでいる。さらに、第１リブ列２４に属する複数の第１リブ２５と第２リブ列２６に属する複数の第２リブ２７との対向間隔、具体的には、底板部２２の幅方向での第１リブ列２４と第２リブ列２６との対向間隔は、配線基板３０を軽圧入状態で差し込むことができる程度の間隔（たとえば、配線基板３０の厚さと同等又はやゝ狭い間隔）に定められている。
【００２５】
また、フレーム枠２０は、配線基板３０をその長手方向Ｌで位置決めする長手方向位置決め手段としての一対の端板部２８を有していて、それらの端板部２８は、フレーム枠２０の縦方向の一端と他端とに一体に成形されている。
【００２６】
さらに、フレーム枠２０は、配線基板３０をその幅方向Ｗで位置決めする幅方向位置決め手段としての基板受部２９と押えリブ５１（図４参照）とを有している。この実施形態において、基板受部２９は、上記した第２リブ列２６を形成している第２リブ２７に段付状に形成されている。押えリブ５１については後述する。
【００２７】
なお、上記した「前板部２１の幅方向」は、フレーム枠２０に取り付けられた配線基板３０の幅方向Ｗに一致し、「前板部２１の長手方向」及び「縦方向」は、フレーム枠２０に取り付けられた配線基板３０の長手方向Ｌに一致し、「底板部２２の幅方向」は、フレーム枠２０に取り付けられた配線基板３０の厚さ方向Ｔに一致する。
【００２８】
図６を参照して説明したように、テレビジョン受像機のキャビネット１０は、フロントキャビネット１１とリアキャビネット１５とに分割されていて、それらを結合することにより形成されている。そして、図４によって類推することができるように、フロントキャビネット１１に取り付けられた上記構成の操作キーユニットＡにあっては、そのフレーム枠２０の前板部２１（図３参照）が側板部１２に対向し、かつ、その前板部２１に設けられている複数のキートップ２３が、側板部１２の縦並びの複数箇所に開設されている開口のそれぞれに臨まされる。したがって、操作キーユニットＡを装備しているテレビジョン受像機の外観は図６に示したものと同様になる。なお、操作キーユニットＡをフロントキャビネット１１に取り付ける手段にはビス止めやその他の公知手段を適宜選択して用いることが可能である。この取付け手段は本発明の内容とは関係がないので図示省略してある。
【００２９】
図３に示したように、操作キーユニットＡは、フレーム枠２０に設けられている第１リブ列２４と第２リブ列２６との対向空間に、キースイッチ４０を搭載した配線基板３０が差し込まれて挟持されている。そのため、配線基板３０はその厚さ方向Ｔで位置決めされている。また、配線基板３０は、その長手方向Ｌの両側に位置する端板部２８によって長手方向Ｌの変位が規制されている。さらに、配線基板３０は、図３に示されている基板受部２９と、図４に示されているリアキャビネット１５に設けられた押えリブ５１とによって幅方向Ｚで挟まれている。したがって、配線基板３０が互いに直交する３軸方向で位置決めされていて、そのような位置決め状態では、フレーム枠２０の前板部２１に設けられている複数のキートップ２３のそれぞれの背部に、配線基板３０に搭載されている複数のキースイッチ４０が個別に確実に位置する。このことにより、キートップ２３を押し込むと、そのキートップ２３によってキースイッチ４０の開閉モードが確実に切り換わる。
【００３０】
また、図１又は図２に示した矢印Ｍのように、配線基板３０を第１リブ列２４と第２リブ列２６との対向空間に差し込んで挟持させると、配線基板３０の片面に第１リブ列２４の複数の第１リブ２５が弾圧し、かつ、配線基板３０の他面に第２リブ列２６の複数の第２リブ２７が弾圧するので、その配線基板３０の平坦度が高い精度で保たれる。この作用は、実施形態のように第１リブ２５と第２リブ２７とが千鳥配列されていることによっていっそう顕著に発揮される。
【００３１】
そのため、図５に実線で示したように、仮に、第１リブ列２４と第２リブ列２６との対向空間に差し込む前の配線基板３０が反り変形を生じていたり撓み変形を生じていたりしても、配線基板３０が第１リブ列２４と第２リブ列２６とにより挟持されることによってそれらの変形が矯正される。このことにより、配線基板３０に搭載されている複数のキースイッチ４０と、そのキースイッチ４０に個別に対応するキートップ２３との間隔のすべてが一様になる。その結果、操作者がキートップ２３を押し込んだときのキースイッチ４０の動作安定性が向上するだけでなく、キートップ２３を押し込んでキースイッチ４０を動作させたときの感触も、すべてのキートップ２３で一様になって動作品位が向上する。
【００３２】
上記した実施形態では、フレーム枠２０に底板部２２を設けて、その底板部２２に第２リブ列２６を立ち上げたものを説明したけれども、第２リブ列２６を第１リブ列２４とを連結した形態で樹脂で一体成形することも可能である。そのようにすると、フレーム枠２０に底板部２２を設けることの必要性はかならずしもなくなる。また、基板受部２９は、必ずしも複数の第２リブ２７のすべてに設けなくてもよく、特定の第２リブ２７だけに設けておいてもよい。さらに、基板受部２９を第１リブ列２４に属する第１リブ２５の全部又は一部に設けることも可能である。
【図面の簡単な説明】
【００３３】
【図１】本発明の実施形態に係る操作キーユニットを裏側から見て示した分解斜視図である。
【図２】同操作キーユニットを表側から見て示した分解斜視図である。
【図３】同操作キーユニットの側面図である。
【図４】同操作キーユニットを装備しているテレビジョン受像機キャビネットを内側から見て示した要部の側面図である。
【図５】反り変形を生じている配線基板の説明図である。
【図６】液晶型テレビジョン受像機を概略で示した外観図である。
【図７】フロントキャビネットに取り付けられている従来例としての操作キーユニットを示した要部の概略斜視図である。
【図８】図７に示した配線基板の概略背面図である。
【符号の説明】
【００３４】
Ａ  操作キーユニット。
【００３５】
１０  キャビネット
１１  フロントキャビネット
１５  リアキャビネット
２０  フレーム枠
２１  前板部
２３  キートップ
２４  第１リブ列
２５  第１リブ
２６  第２リブ列
２７  第２リブ
２８  端板部
２９  基板受部
３０  配線基板
４０  キースイッチ
５１  押えリブ
Ｔ  配線基板の厚さ方向
Ｌ  配線基板の長手方向
Ｗ  配線基板の幅方向
【図１】
2010050584.tif 000003
【図２】
2010050584.tif 000004
【図３】
2010050584.tif 000005
【図４】
2010050584.tif 000006
【図５】
2010050584.tif 000007
【図６】
2010050584.tif 000008
【図７】
2010050584.tif 000009
【図８】
2010050584.tif 000010